(57)【要約】  本発明は、システム情報の送信方法、装置、コンピューターデバイス及び記憶媒体を開示し、中継ノードが基地局により放送されたＭＳＩを取得し、ＭＳＩをサービングされる末端ノードに転送し、末端ノードのオンデマンドシステム情報要件を取得し、基地局に末端ノードが必要とするオンデマンドシステム情報を要求し、さらに、基地局からのオンデマンドシステム情報を対応する末端ノードに送信し、また、中継ノードが基地局からの更新後のシステム情報を末端ノードに送信することで、中継シーンにおいてシステム情報の送信の課題を解決する。
2021503737.tif 000002
【特許請求の範囲】
【請求項１】
中継ノードが基地局により放送された最小化システム情報ＭＳＩを取得し、サービングされる末端ノードに前記ＭＳＩを転送することと、
前記中継ノードが末端ノードのオンデマンドシステム情報要件を取得し、前記基地局に前記オンデマンドシステム情報を要求することと、
前記中継ノードが前記基地局により送信された前記オンデマンドシステム情報を対応する末端ノードに送信することと、を含む
ことを特徴とするシステム情報の送信方法。
【請求項２】
前記中継ノードが末端ノードのオンデマンドシステム情報要件を取得することは、
前記中継ノードが、非接続状態にある末端ノードのオンデマンドシステム情報要件を取得することを含む
ことを特徴とする請求項１に記載のシステム情報の送信方法。
【請求項３】
前記基地局に前記オンデマンドシステム情報を要求することは、
前記中継ノードがランダムアクセス方式で前記基地局に前記オンデマンドシステム情報を要求すること、
又は、前記中継ノードが無線リソース制御ＲＲＣ専用シグナリングで前記基地局に前記オンデマンドシステム情報を要求することを含む
ことを特徴とする請求項１に記載のシステム情報の送信方法。
【請求項４】
前記中継ノードが前記基地局により送信された前記オンデマンドシステム情報を対応する末端ノードに送信することは、
前記中継ノードが、前記基地局が前記中継ノードとの無線リソース制御ＲＲＣ接続で送信した前記オンデマンドシステム情報を取得し、前記中継ノードと末端ノードとの接続で前記オンデマンドシステム情報を対応する末端ノードに送信すること、
又は、前記中継ノードが前記基地局により放送された前記オンデマンドシステム情報をＲＲＣ専用シグナリングの方式で、中継ノードの透過的な伝送を介して、対応する末端ノードに伝送することを含む
ことを特徴とする請求項１に記載のシステム情報の送信方法。
【請求項５】
中継ノードが基地局から取得された、更新後のシステム情報を接続状態にある末端ノードを送信することを含む
ことを特徴とするシステム情報の送信方法。
【請求項６】
前記中継ノードが基地局から取得された、更新後のシステム情報を接続状態にある末端ノードを送信することは、
前記中継ノードが、前記基地局が前記末端ノードとの無線リソース制御ＲＲＣ接続で前記末端ノードに送信した前記システム情報を、前記末端ノードに透過的に伝送すること、
又は、前記中継ノードが、前記基地局が前記中継ノードとのＲＲＣ接続で送信した前記システム情報を取得し、前記中継ノードと前記末端ノードとの接続で前記システム情報を前記末端ノードに送信すること、
又は、前記末端ノードがページングメッセージに基づいて前記システム情報から対応するシステム情報ブロックを読み取るように、前記中継ノードが前記基地局により送信されたページングメッセージを前記末端ノードに中継し、前記基地局により放送された前記システム情報を前記末端ノードに中継することを含む
ことを特徴とする請求項５に記載のシステム情報の送信方法。
【請求項７】
中継ノードが最小化システム情報ＭＳＩをサービングされる末端ノードに転送するように、基地局がＭＳ中継ノードに放送することと、
前記基地局が前記中継ノードからのオンデマンドシステム情報要求を取得することと、  
前記基地局が前記オンデマンドシステム情報を前記中継ノードを介して対応する末端ノードに送信することとを含み、
前記オンデマンドシステム情報要求には、前記中継ノードが末端ノードから取得したオンデマンドシステム情報要件が含まれる
ことを特徴とするシステム情報の送信方法。
【請求項８】
前記基地局が前記中継ノードからのオンデマンドシステム情報要求を取得することは、
前記基地局が、前記中継ノードがランダムアクセス方式で送信した前記オンデマンドシステム情報要求を取得すること、
又は、前記基地局が、前記中継ノードが無線リソース制御ＲＲＣ専用シグナリング方式で送信した前記オンデマンドシステム情報要求を取得することを含む
ことを特徴とする請求項７に記載のシステム情報の送信方法。
【請求項９】
前記基地局が前記オンデマンドシステム情報を前記中継ノードを介して対応する末端ノードに送信することは、
前記中継ノードが末端ノードとの接続で前記オンデマンドシステム情報を対応する末端ノードに送信するように、前記基地局が前記中継ノードとの無線リソース制御ＲＲＣ接続で前記オンデマンドシステム情報を前記中継ノードに送信すること、
又は、前記中継ノードがＲＲＣ専用シグナリングの方式で、透過的伝送を介して、前記オンデマンドシステム情報を対応する末端ノードに伝送するように、前記基地局が前記オンデマンドシステム情報を放送することを含む
ことを特徴とする請求項７に記載のシステム情報の送信方法。
【請求項１０】
前記基地局が所定の基準に従って前記オンデマンドシステム情報の送信方式を決定する
ことを特徴とする請求項９に記載のシステム情報の送信方法。
【請求項１１】
基地局が更新後のシステム情報を中継ノードを介して接続状態にある末端ノードに送信することを含む
ことを特徴とするシステム情報の送信方法。
【請求項１２】
前記基地局が中継ノードを介して、更新後のシステム情報を接続状態にある末端ノードに送信することは、
前記基地局が、前記末端ノードとの無線リソース制御ＲＲＣ接続で前記システム情報を前記末端ノードに送信し、前記中継ノードが前記システム情報を透過的に伝送すること、
又は、前記中継ノードが末端ノードとの接続で前記システム情報を前記末端ノードに送信するように、前記基地局が前記中継ノードとのＲＲＣ接続で前記システム情報を前記中継ノードに送信すること、
又は、前記末端ノードが前記ページングメッセージに基づいて前記システム情報から対応するシステム情報ブロックを読み取るように、前記基地局がページングメッセージを前記中継ノードを介して前記末端ノードに中継し、放送された前記システム情報を前記中継ノードを介して前記末端ノードに中継することを含む
ことを特徴とする請求項１１に記載のシステム情報の送信方法。
【請求項１３】
末端ノードが中継ノードを介して、基地局により放送された最小化システム情報ＭＳＩを取得することと、
前記中継ノードが前記基地局に前記オンデマンドシステム情報を要求するように、前記末端ノードがオンデマンドシステム情報要件を前記中継ノードに送信することと、
前記末端ノードが前記中継ノードを介して、前記基地局により送信された前記オンデマンドシステム情報を取得することとを含む
ことを特徴とするシステム情報の送信方法。
【請求項１４】
前記末端ノードがオンデマンドシステム情報要件を前記中継ノードに送信することは、
前記末端ノードが非接続状態にあり、且つオンデマンドシステム情報要件がある場合、前記オンデマンドシステム情報要件を前記中継ノードに送信することを含む
ことを特徴とする請求項１３に記載のシステム情報の送信方法。
【請求項１５】
前記末端ノードが前記中継ノードを介して前記基地局により送信された前記オンデマンドシステム情報を取得することは、
前記末端ノードが、前記中継ノードが前記末端ノードとの接続で送信した前記オンデマンドシステム情報を取得し、前記オンデマンドシステム情報は、前記基地局が前記中継ノードとの無線リソース制御ＲＲＣ接続で前記中継ノードに送信したものであること、
又は、前記末端ノードが前記基地局により放送された前記オンデマンドシステム情報を取得し、前記中継ノードが前記基地局により放送された前記オンデマンドシステム情報をＲＲＣ専用シグナリングの方式で、前記中継ノードの透過的な伝送を介して、前記末端ノードに伝送することを含む
ことを特徴とする請求項１３に記載のシステム情報の送信方法。
【請求項１６】
接続状態にある末端ノードが中継ノードを介して、基地局により送信された更新後のシステム情報を取得することを含む
ことを特徴とするシステム情報の送信方法。
【請求項１７】
前記接続状態にある末端ノードが中継ノードを介して、基地局により送信された更新後のシステム情報を取得することは、
前記末端ノードが前記基地局との無線リソース制御ＲＲＣ接続で前記基地局により送信された前記システム情報を取得し、前記中継ノードが前記システム情報を透過的に伝送すること、
又は、前記末端ノードが、前記中継ノードが前記末端ノードとの接続で送信した前記システム情報を取得し、前記システム情報は、前記基地局が前記中継ノードとのＲＲＣ接続で前記中継ノードに送信したのもであること、
又は、前記末端ノードが前記中継ノードの中継を介して前記基地局からのページングメッセージを取得し、前記中継ノードの中継を介して前記基地局により放送された前記システム情報を取得し、前記ページングメッセージに基づいて前記システム情報から対応するシステム情報ブロックを読み取ることを含む
ことを特徴とする請求項１６に記載のシステム情報の送信方法。
【請求項１８】
第１の転送ユニットと、要求ユニットと、第２の転送ユニットと、を備える中継ノードであって、
前記第１の転送ユニットは、基地局により放送された最小化システム情報ＭＳＩを取得し、前記ＭＳＩをサービングされる末端ノードに転送するように構成され、
前記要求ユニットは、末端ノードのオンデマンドシステム情報要件を取得し、前記基地局に前記オンデマンドシステム情報を要求するように構成され、
前記第２の転送ユニットは、前記基地局により送信された前記オンデマンドシステム情報を対応する末端ノードに送信するように構成される
ことを特徴とする中継ノード。
【請求項１９】
前記要求ユニットは、非接続状態にある末端ノードのオンデマンドシステム情報要件を取得する
ことを特徴とする請求項１８に記載の中継ノード。
【請求項２０】
前記要求ユニットは、ランダムアクセス方式で前記基地局に前記オンデマンドシステム情報を要求し、
又は、前記要求ユニットは、無線リソース制御ＲＲＣ専用シグナリングで前記基地局に前記オンデマンドシステム情報を要求する
ことを特徴とする請求項１８に記載の中継ノード。
【請求項２１】
前記第２の転送ユニットは、前記基地局が前記中継ノードとの無線リソース制御ＲＲＣ接続で送信した前記オンデマンドシステム情報を取得し、前記中継ノードと末端ノードとの接続で前記オンデマンドシステム情報を対応する末端ノードに送信し、
又は、前記第２の転送ユニットは、前記基地局により放送された前記オンデマンドシステム情報をＲＲＣ専用シグナリングの方式で、前記中継ノードの透過的な伝送を介して、対応する末端ノードに伝送する
ことを特徴とする請求項１８に記載の中継ノード。
【請求項２２】
第３の転送ユニットを備える中継ノードであって、
前記第３の転送ユニットは、基地局から取得された、更新後のシステム情報を接続状態にある末端ノードに送信するように構成される
ことを特徴とする中継ノード。
【請求項２３】
前記第３の転送ユニットは、前記基地局が前記末端ノードとの無線リソース制御ＲＲＣ接続で送信した前記末端ノードの前記システム情報を前記末端ノードに透過的に伝送し、
又は、前記第３の転送ユニットは、前記基地局が前記中継ノードとのＲＲＣ接続で送信した前記システム情報を取得し、前記中継ノードと前記末端ノードとの接続で前記システム情報を前記末端ノードに送信し、
又は、前記末端ノードが前記ページングメッセージに基づいて前記システム情報から対応するシステム情報ブロックを読み取るように、前記第３の転送ユニットは、前記基地局からのページングメッセージを前記末端ノードに中継し、前記基地局により放送された前記システム情報を前記末端ノードに中継する
ことを特徴とする請求項２２に記載の中継ノード。
【請求項２４】
第１の処理ユニットと、第２の処理ユニットと、を備える基地局であって、
前記中継ノードが前記ＭＳＩをサービングされる末端ノードに転送するように、前記第１の処理ユニットは、最小化システム情報ＭＳＩを中継ノードに放送し、
前記第２の処理ユニットは、前記中継ノードからのオンデマンドシステム情報要求を取得し、前記オンデマンドシステム情報を前記中継ノードを介して対応する末端ノードに送信し、前記オンデマンドシステム情報要求には、前記中継ノードが末端ノードから取得したオンデマンドシステム情報要件が含まれる
ことを特徴とする基地局。
【請求項２５】
前記第２の処理ユニットは、前記中継ノードがランダムアクセス方式で送信した前記オンデマンドシステム情報要求を取得し、
又は、前記第２の処理ユニットは、前記中継ノードが無線リソース制御ＲＲＣ専用シグナリングで送信した前記オンデマンドシステム情報要求を取得する
ことを特徴とする請求項２４に記載の基地局。
【請求項２６】
前記中継ノードが末端ノードとの接続で前記オンデマンドシステム情報を対応する末端ノードに送信するように、前記第２の処理ユニットは、前記中継ノードとの無線リソース制御ＲＲＣ接続で前記オンデマンドシステム情報を前記中継ノードに送信し、
又は、前記中継ノードがＲＲＣ専用シグナリングの方式で、透過的な伝送を介して、前記オンデマンドシステム情報を対応する末端ノードに伝送するように、前記第２の処理ユニットが前記オンデマンドシステム情報を放送する
ことを特徴とする請求項２４に記載の基地局。
【請求項２７】
前記第２の処理ユニットは、所定の基準に従って前記オンデマンドシステム情報の送信方式を決定する
ことを特徴とする請求項２６に記載の基地局。
【請求項２８】
第３の処理ユニットを備える基地局であって、
前記第３の処理ユニットは、更新後のシステム情報を中継ノードを介して接続状態にある末端ノードに送信するように構成される
ことを特徴とする基地局。
【請求項２９】
前記第３の処理ユニットは、前記末端ノードとの無線リソース制御ＲＲＣ接続で前記システム情報を前記末端ノードに送信し、前記中継ノードが前記システム情報を透過的に伝送し、
又は、前記中継ノードが末端ノードとの接続で前記システム情報を前記末端ノードに送信するように、前記第３の処理ユニットは、前記中継ノードとのＲＲＣ接続で前記システム情報を前記中継ノードに送信し、
又は、前記末端ノードが前記ページングメッセージに基づいて前記システム情報から対応するシステム情報ブロックを読み取るように、前記第３の処理ユニットは、ページングメッセージを前記中継ノードを介して前記末端ノードに中継し、放送された前記システム情報を前記中継ノードを介して前記末端ノードに中継する
ことを特徴とする請求項２８に記載の基地局。
【請求項３０】
第１の取得ユニットと、送信ユニットと、第２の取得ユニットと、を備える末端ノードであって
前記第１の取得ユニットは、中継ノードを介して基地局により放送された最小化システム情報ＭＳＩを取得するように構成され、
前記中継ノードが前記基地局に前記オンデマンドシステム情報を要求するように、前記送信ユニットは、オンデマンドシステム情報要件を前記中継ノードに送信するように構成され、
前記第２の取得ユニットは、前記中継ノードを介して前記基地局により送信された前記オンデマンドシステム情報を取得するように構成される
ことを特徴とする末端ノード。
【請求項３１】
前記末端ノードが非接続状態にあり、且つオンデマンドシステム情報要件がある場合、前記送信ユニットは、前記オンデマンドシステム情報要件を前記中継ノードに送信する
ことを特徴とする請求項３０に記載の末端ノード。
【請求項３２】
前記第２の取得ユニットは、前記中継ノードが前記末端ノードとの接続で送信した前記オンデマンドシステム情報を取得し、前記オンデマンドシステム情報は、前記基地局が前記中継ノードとの無線リソース制御ＲＲＣ接続で前記中継ノードに送信したものであり、
又は、前記第２の取得ユニットは、前記基地局により放送された前記オンデマンドシステム情報を取得し、前記中継ノードは、前記基地局により放送された前記オンデマンドシステム情報をＲＲＣ専用シグナリングの方式で、前記中継ノードの透過的な伝送を介して、前記末端ノードに伝送する
ことを特徴とする請求項３０に記載の末端ノード。
【請求項３３】
第３の取得ユニットを備える末端ノードであって、
前記第３の取得ユニットは、前記末端ノードが接続状態にする場合、中継ノードを介して基地局により送信された更新後のシステム情報を取得する
ことを特徴とする末端ノード。
【請求項３４】
前記第３の取得ユニットは、前記基地局との無線リソース制御ＲＲＣ接続で前記基地局からの前記システム情報を取得し、前記中継ノードが前記システム情報を透過的に伝送し、
又は、前記第３の取得ユニットは、前記中継ノードが前記末端ノードとの接続で送信した前記システム情報を取得し、前記システム情報は、前記基地局が前記中継ノードとのＲＲＣ接続で前記中継ノードに送信したものであり、
又は、前記第３の取得ユニットは、前記中継ノードの中継を介して前記基地局からのページングメッセージを取得し、前記中継ノードの中継を介して前記基地局により放送された前記システム情報を取得し、前記ページングメッセージに基づいて前記システム情報から対応するシステム情報ブロックを読み取る
ことを特徴とする請求項３３に記載の末端ノード。
【発明の詳細な説明】
【技術分野】
【０００１】
本発明は、無線ネットワーク技術に関し、特に、システム情報の送信方法、装置、コンピューターデバイス及び記憶媒体に関する。
【背景技術】
【０００２】
５Ｇ新しいラジオ( ＮＲ )システムには、最小化システム情報(ＭＳＩ)および他のシステム情報(ＯＳＩ)を含むシステム情報放送メカニズムが導入されている。ここで、ＭＳＩは末端ノードが取得する必要があり、ＯＳＩはオンデマンドで取得できるので、ＯＳＩをオンデマンドシステム情報と呼ぶこともできる。
【０００３】
従来技術では、末端ノードが基地局のカバレッジ内に存在する場合を主に考慮して、システム情報は、ブロードキャストによって末端ノードに直接的に到達することができる。しかし、中継シーンにおけるシステム情報の送信の問題については、従来技術では有効な解決手段がなかった。
【発明の概要】
【０００４】
本発明は、上記の点に鑑みて、中継シーンにおけるシステム情報の送信の問題を解決することができるシステム情報の送信方法、装置、コンピュータ装置及び記憶媒体を提供する。
【０００５】
具体的な技術案は以下の通りである。
【０００６】
システム情報の送信方法は、
中継ノードが基地局により放送されたＭＳＩを取得し、前記ＭＳＩをサービングされる末端ノードに転送することと、
前記中継ノードが末端ノードのオンデマンドシステム情報要件を取得し、前記基地局に前記オンデマンドシステム情報を要求することと、
前記中継ノードが前記基地局からの前記オンデマンドシステム情報を対応する末端ノードに送信することとを含む。
【０００７】
システム情報の送信方法は、
中継ノードが基地局から取得された、更新後のシステム情報を接続状態にある末端ノードを送信することを含む。
【０００８】
システム情報の送信方法は、
前記中継ノードが前記ＭＳＩをサービングされる末端ノードに転送するように、基地局がＭＳＩを中継ノードに放送することと、
前記基地局が前記中継ノードからのオンデマンドシステム情報要求を取得し、前記オンデマンドシステム情報要求には、前記中継ノードが末端ノードから取得したオンデマンドシステム情報要件が含まれることと、 
前記基地局が前記オンデマンドシステム情報を前記中継ノードを介して対応する末端ノードに送信することとを含む。
【０００９】
システム情報の送信方法は、
基地局が中継ノードを介して、更新後のシステム情報を接続状態にある末端ノードに送信することを含む。
【００１０】
システム情報の送信方法は、
末端ノードが中継ノードを介して、基地局により放送されたＭＳＩを取得することと、
前記中継ノードが前記基地局に前記オンデマンドシステム情報を要求するように、前記末端ノードがオンデマンドシステム情報要件を前記中継ノードに送信することと、
前記末端ノードが前記中継ノードを介して、前記基地局からの前記オンデマンドシステム情報を取得することとを含む。
【００１１】
システム情報の送信方法は、
接続状態にある末端ノードが中継ノードを介して、基地局からの更新後のシステム情報を取得することを含む。
【００１２】
第１の転送ユニットと、要求ユニットと、第２の転送ユニットと、を備える中継ノードであって
前記第１の転送ユニットは、基地局により放送されたＭＳＩを取得し、前記ＭＳＩをサービングされる末端ノードに転送するように構成され、
前記要求ユニットは、末端ノードのオンデマンドシステム情報要件を取得し、前記基地局に前記オンデマンドシステム情報を要求するように構成され、
前記第２の転送ユニットは、前記基地局からの前記オンデマンドシステム情報を対応する末端ノードに送信するように構成される。
【００１３】
第３の転送ユニットを備える中継ノードであって、
前記第３の転送ユニットは、基地局からの更新後のシステム情報を接続状態にある末端ノードに送信するように構成される。
【００１４】
第１の処理ユニットと、第２の処理ユニットと、を備える基地局であって、
前記中継ノードが前記ＭＳＩをサービングされる末端ノードに転送するように、前記第１の処理ユニットは、ＭＳＩを中継ノードに放送し、
前記第２の処理ユニットは、前記中継ノードからのオンデマンドシステム情報要求を取得し、前記オンデマンドシステム情報を前記中継ノードを介して対応する末端に送信するように構成され、ノード前記オンデマンドシステム情報要求には、前記中継ノードが末端ノードから取得したオンデマンドシステム情報要件が含まれる。
【００１５】
第３の処理ユニットを備える基地局であって、
前記第３の処理ユニットは、中継ノードを介して、更新後のシステム情報を接続状態にある末端ノードに送信するように構成される。
【００１６】
第１の取得ユニットと、送信ユニットと、第２の取得ユニットと、を備える末端ノードであって、
前記第１の取得ユニットは、中継ノードを介して、基地局により放送されたＭＳＩを取得するように構成され、
前記中継ノードが前記基地局に前記オンデマンドシステム情報を要求するように、前記送信ユニットは、オンデマンドシステム情報要件を前記中継ノードに送信するように構成され、
前記第２の取得ユニットは、前記中継ノードを介して、前記基地局からの前記オンデマンドシステム情報を取得するように構成される。
【００１７】
第３の取得ユニットを備える末端ノードであって、
前記第３の取得ユニットは、前記末端ノードが接続状態にある場合、中継ノードを介して、基地局からの更新後のシステム情報を取得するように構成される。
【００１８】
コンピュータデバイスであって、メモリ、プロセッサ、及び前記メモリに記憶され前記プロセッサ上で実行可能なコンピュータプログラムを含み、前記プロセッサが前記プログラムを実行することにより、上記方法を実現する。
【００１９】
コンピュータ可読記憶媒体であって、プロセッサによって実行されると、上述の方法を実現するコンピュータプログラムを記憶した。
【００２０】
以上の説明から明らかなように、本発明によれば、中継ノードが基地局により放送されたＭＳＩを取得し、ＭＳＩをサービングされる末端ノードに転送し、末端ノードのオンデマンドシステム情報要件を取得し、基地局に末端ノードが必要とするオンデマンドシステム情報を要求し、さらに、基地局からのオンデマンドシステム情報を対応する末端ノードに送信し、また、中継ノードは、基地局からの更新後のシステム情報を末端ノードに送信して、中継シーンにおけるシステム情報の送信の問題を解決することができる。
【図面の簡単な説明】
【００２１】
【図１】本発明の前記システム情報の送信方法第１の実施例のフローチャートである。
【図２】本発明の前記システム情報の送信方法第２の実施例のフローチャートである。
【図３】本発明の前記システム情報の送信方法第３の実施例のフローチャートである。
【図４】本発明の前記末端ノード、中継ノード及びｇＮＢのインタラクション方式の模式図である。
【図５】本発明の前記中継ノード第１の実施例の構成の模式図である。
【図６】本発明の前記中継ノード第２の実施例の構成の模式図である。
【図７】本発明の前記基地局第１の実施例の構成の模式図である。
【図８】本発明の前記基地局第２の実施例の構成の模式図である。
【図９】本発明の前記末端ノード第１の実施例の構成の模式図である。
【図１０】本発明の前記末端ノード第２の実施例の構成の模式図である。
【図１１】本発明の実施形態を実施するのに適した例示的なコンピュータシステム/サーバ１２のブロック図を示す。
【発明を実施するための形態】
【００２２】
従来技術の問題点に対し、本発明は、主に基地局( ｇＮＢ )、中継ノード及び末端ノード間のインタラクションに関する中継シーンでのシステム情報の送信方式を提案する。
【００２３】
本発明の技術案をより明確に理解できるように、以下、図面を参照して実施例を挙げ、本発明の技術案をさらに説明する。
【００２４】
また、記載される実施例は、本発明の一部の実施例であり、全部の実施例ではない。本発明の実施例に基づいて、当業者が創造的な努力をすることなく得られる全ての他の実施形態は、本発明の保護範囲に属する。
【００２５】
図１は本発明の前記システム情報の送信方法第１の実施例のフローチャートである。図１に示すように、以下の具体的な実現方式を有する。
【００２６】
１０１において、中継ノードは、ｇＮＢにより放送されたＭＳＩを取得し、ＭＳＩをサービングされる末端ノードに転送する。
【００２７】
中継シーンにおいて、ｇＮＢにより放送されたＭＳＩが中継ノードに受信された後、中継ノードが中継機能をサポートする場合、同期ソース機能を含むが、これに限定されず、中継ノードがＭＳＩを転送し、即ち、ＭＳＩをサービングされる末端ノードに転送する。
【００２８】
ＭＳＩにはＯＳＩスケジューリング情報がさらに含まれてもよく、これに応じて、末端ノードはＯＳＩスケジューリング情報を取得する。
【００２９】
１０２において、中継ノードが末端ノードのオンデマンドシステム情報要件を取得し、ｇＮＢにオンデマンドシステム情報を要求する。
【００３０】
非接続状態にある末端ノードについては、中継ノードが転送するＭＳＩ及びＯＳＩスケジューリング情報等を取得した後、現在のセルが既にブロードキャストしているシステム情報に基づいて、必要な他のシステム情報を要求するか否か、即ち、オンデマンドシステム情報要件があるか否かを判断することができる。非接続状態は、アイドル状態、非アクティブ状態などを含み得る。
【００３１】
オンデマンドシステム情報要件がある場合、末端ノードは、中継ノードとの間のインタラクションを通じて、末端ノードのオンデマンドシステム情報要求を中継ノードが知るようにすることができ、インタラクションは、非セルラリンク（ｎｏｎ−ｃｅｌｌｕｌａｒ）又はセルラリンク（ｃｅｌｌｕｌａｒ）を通じて行われ得る。
【００３２】
中継ノードは、取得した各末端ノードのオンデマンド情報要件を集約し、集約結果に基づいて、ｇＮＢに一括して要求を行うことができる。
【００３３】
例えば、中継ノードが末端ノードａと末端ノードｂとの２つの末端ノードのオンデマンドシステム情報要件を取得し、ここで、末端ノードａが必要とするオンデマンドシステム情報がオンデマンドシステム情報１とオンデマンドシステム情報２であり、末端ノードｂが必要とするオンデマンドシステム情報がオンデマンドシステム情報２とオンデマンドシステム情報３である場合、中継ノードがｇＮＢにオンデマンドシステム情報１、オンデマンドシステム情報２及びオンデマンドシステム情報３に要求する必要がある。
【００３４】
中継ノードがｇＮＢにオンデマンドシステム情報を要求する方式は、以下の方式を含み、
１）中継ノードがランダムアクセス方式でｇＮＢにオンデマンドシステム情報を要求し、
２）中継ノードが無線リソース制御（ＲＲＣ）専用シグナリング方式でｇＮＢにオンデマンドシステム情報を要求する。
【００３５】
中継ノードは、以上の方式１）又は２）を利用してｇＮＢにオンデマンドシステム情報を要求してもよい。
【００３６】
１０３において、中継ノードは、ｇＮＢからのオンデマンドシステム情報を対応する末端ノードに送信する。
【００３７】
ｇＮＢは、中継ノードの要求に基づいて、末端ノードが必要とするオンデマンドシステム情報を中継ノードを介して対応する末端ノードに送信してもよい。
【００３８】
具体的に、ｇＮＢは、中継ノードとのＲＲＣ接続でオンデマンドシステム情報を中継ノードに送信し、さらに、中継ノードが末端ノードとの接続でオンデマンドシステム情報を対応する末端ノードに送信してもよい。
【００３９】
又は、ｇＮＢは、オンデマンドシステム情報を放送し、さらに、中継ノードがＲＲＣ専用シグナリングの方式で、透過的な伝送を介して、オンデマンドシステム情報を対応する末端ノードに伝送してもよい。
【００４０】
ｇＮＢは、所定の基準に従って、オンデマンドシステム情報の送信方法を決定することができる。例えば、現在の物理ブロードキャストチャネル( ＰＢＣＨ )リソース残存率が物理下り共有チャネル( ＰＤＳＣＨ )リソース残存率よりも低い場合、または、末端ノードが必要とするオンデマンドシステム情報が、ある中継ノードがサービスする末端ノードのみが必要とする場合、前者の方式を採用してもよく、即ち、中継ノードとのＲＲＣ接続を介してオンデマンドシステム情報を中継ノードに送信し、さらに、中継ノードが末端ノードとの間の接続を介してオンデマンドシステム情報を対応する末端ノードに送信することができる。また、例えば、末端ノードが必要とするオンデマンドシステム情報が複数の中継ノードがサービスする末端ノードに必要な場合、または現在のＰＢＣＨリソース残存率が所定の閾値より大きい場合、後者の方法を採用してもよく、すなわち、ｇＮＢがオンデマンドシステム情報をブロードキャストし、さらに、中継ノードがＲＲＣ専用シグナリングの方式で透過的伝送を介してオンデマンドシステム情報を対応する末端ノードに伝送することができる。上記基準は、例示に過ぎず、本発明の技術的範囲を限定するものではない。
【００４１】
これに対応し、中継ノードがｇＮＢからのオンデマンドシステム情報を対応する末端ノードに送信することは、以下の方式を含み、
１）中継ノードは、ｇＮＢが中継ノードとのＲＲＣ接続で送信したオンデマンドシステム情報を取得し、中継ノードと末端ノードとの接続でオンデマンドシステム情報を対応する末端ノードに送信し、
２）中継ノードは、ｇＮＢにより放送されたオンデマンドシステム情報をＲＲＣ専用シグナリングの方式で、中継ノードの透過的な伝送を介して、対応する末端ノードに伝送する。
【００４２】
上記実施例では、主に、末端ノードが非接続状態にある場合について説明したが、末端ノードが接続状態にあれば、中継ノードは、ｇＮＢから取得した更新後のシステム情報を、接続状態にある末端ノードに送信してもよい。
【００４３】
以下の３つの方式があり、
１）中継ノードは、ｇＮＢが末端ノードとのＲＲＣ接続で末端ノードに送信したシステム情報を、末端ノードに透過的に伝送し、
２）中継ノードは、ｇＮＢが中継ノードとのＲＲＣ接続で送信したシステム情報を取得し、中継ノードと末端ノードとの接続でシステム情報を末端ノードに送信し、
３）中継ノードは、ｇＮＢからのページングメッセージを末端ノードに中継し、ｇＮＢにより放送されたシステム情報を末端ノードに中継し、そして、末端ノードは、ページングメッセージに基づいて、システム情報から対応するシステム情報ブロックを読み取る。
【００４４】
方式３について、（ｐａｇｉｎｇ）メカニズムを向上させる必要があり、ｇＮＢのページングメッセージを末端ノードに中継し、末端ノードにシステム情報を中継し、この方式は、末端ノードのページング機会( ｐａｇｉｎｇ ｏｃｃａｓｉｏｎ )及び非連続受信サイクル( ＤＲＸ ｃｙｃｌｅ )の構成が、中継及びその結果生じる遅延によって影響を受けないことを要求する。
【００４５】
図２は本発明のシステム情報の送信方法第２の実施例のフローチャートである。図２に示すように、以下のステップを含む。
【００４６】
２０１において、中継ノードがＭＳＩをサービングされる末端ノードに転送するように、ｇＮＢがＭＳＩを中継ノードに放送する。
【００４７】
中継シーン、ｇＮＢにより放送されたＭＳＩが中継ノードに受信された後、中継ノードがＭＳＩを転送し、即ち、ＭＳＩをサービングされる末端ノードに転送する。
【００４８】
２０２において、ｇＮＢが中継ノードからのオンデマンドシステム情報要求を取得し、オンデマンドシステム情報要求には、中継ノードが末端ノードから取得したオンデマンドシステム情報要件が含まれる。
【００４９】
中継ノードは、サービングされる非接続状態にある末端ノードのオンデマンド情報要件を集約し、ｇＮＢに一括に要求してもよく、すなわち、ｇＮＢにオンデマンド情報要求を送信する。
【００５０】
具体的には、ｇＮＢが中継ノードからのオンデマンドシステム情報要求を取得する方法は、以下の方式を含み、
１）ｇＮＢは、中継ノードがランダムアクセス方式で送信したオンデマンドシステム情報要求を取得し、
２）ｇＮＢは、中継ノードがＲＲＣ専用シグナリング放送で送信したオンデマンドシステム情報要求を取得する。
【００５１】
ｇＮＢは、取得したオンデマンドシステム情報要求から、中継ノードがどのオンデマンドシステム情報を要求しているかを知ることができる。
【００５２】
２０３において、ｇＮＢは、オンデマンドシステム情報を中継ノードを介して対応する末端ノードに送信する。
【００５３】
ｇＮＢがオンデマンドシステム情報を中継ノードを介して対応する末端ノードに送信することは、以下の方式を含み、
１）中継ノードが末端ノードとの接続でオンデマンドシステム情報を対応する末端ノードに送信するように、ｇＮＢは、中継ノードとのＲＲＣ接続でオンデマンドシステム情報を中継ノードに送信し、
２）中継ノードがＲＲＣ専用シグナリングの方式で、透過的な伝送を介して、オンデマンドシステム情報を対応する末端ノードに伝送するように、ｇＮＢがオンデマンドシステム情報を放送する。
【００５４】
ｇＮＢは、所定の基準に従って、オンデマンドシステム情報の送信方法を決定することができる。例えば、現在のＰＢＣＨリソース残存率がＰＤＳＣＨリソース残存率よりも低い場合、または、末端ノードが必要とするオンデマンドシステム情報が、ある中継ノードがサービスする末端ノードのみが必要とする場合、前者の方法が採用されてもよく、末端ノードが必要とするオンデマンドシステム情報が、複数の中継ノードがサービスする末端ノードが必要とする場合、または、現在のＰＢＣＨリソース残存率が所定の閾値よりも大きい場合、後者の方法が採用されてもよい。上記基準は、例示に過ぎず、本発明の技術的範囲を限定するものではない。
【００５５】
また、ｇＮＢが中継ノードを介して更新後のシステム情報を接続状態にある末端ノードに送信してもよい。
【００５６】
具体的に、
１）ｇＮＢが末端ノードとのＲＲＣ接続でシステム情報を末端ノードに送信し、中継ノードがシステム情報を透過的に伝送し、
２）中継ノードが末端ノードとの接続でシステム情報を末端ノードに送信するように、ｇＮＢが中継ノードとのＲＲＣ接続でシステム情報を中継ノードに送信し、
３）末端ノードがページングメッセージに基づいてシステム情報から対応するシステム情報ブロックを読み取るように、ｇＮＢは、ページングメッセージを中継ノードを介して末端ノードに中継し、放送されたシステム情報を中継ノードを介して末端ノードに中継する。
【００５７】
方式３）について、（ｐａｇｉｎｇ）メカニズムを向上させる必要があり、ｇＮＢのページングメッセージを末端ノードに中継し、末端ノードにシステム情報を中継し、この方式は、末端ノードのページング機会( ｐａｇｉｎｇ ｏｃｃａｓｉｏｎ )及び非連続受信サイクル( ＤＲＸ ｃｙｃｌｅ )の構成が、中継及びその結果生じる遅延によって影響を受けないことを要求する。
【００５８】
図３は本発明の前記システム情報の送信方法第３の実施例のフローチャートである。図３に示すように、以下の方式を含む。
【００５９】
３０１において、末端ノードが中継ノードを介して、ｇＮＢにより放送されたＭＳＩを取得する。
【００６０】
中継シーンにおいて、ｇＮＢにより放送されたＭＳＩが中継ノードに受信された後、中継ノードがＭＳＩを転送し、即ち、ＭＳＩをサービングされる末端ノードに転送する。
【００６１】
３０２において、中継ノードがｇＮＢにオンデマンドシステム情報を要求するように、末端ノードがオンデマンドシステム情報要件を中継ノードに送信する。
【００６２】
末端ノードが非接続状態にあり且つオンデマンドシステム情報要件がある場合、オンデマンドシステム情報要件を中継ノードに送信してもよい。非接続状態は、アイドル状態及び非アクティブ状態等を含む。
【００６３】
非接続状態にある末端ノードについては、中継ノードが転送した情報を取得した後、現在のセルがブロードキャストしたシステム情報に基づいて、他のシステム情報を要求する必要があるか否か、すなわちオンデマンドシステム情報が必要であるか否かを決定することができる。
【００６４】
オンデマンドシステム情報要件がある場合、末端ノードは、中継ノードとインタラクションすることによって、オンデマンドシステム情報要件を中継ノードに送信し、そして、中継ノードに、末端ノードのオンデマンドシステム情報要件を知らせることができる。
【００６５】
中継ノードは、取得した各末端ノードのオンデマンド情報要件を集約し、集約結果に基づいて、ｇＮＢに一括して要求を行うことができる。
【００６６】
３０３において、末端ノードは、中継ノードを介してｇＮＢからのオンデマンドシステム情報を取得する。
【００６７】
末端ノードが中継ノードを介してｇＮＢからのオンデマンドシステム情報を取得する方式は、以下の方式を含み、
１）末端ノードは、中継ノードが末端ノードとの接続で送信したオンデマンドシステム情報を取得し、オンデマンドシステム情報は、ｇＮＢが中継ノードとのＲＲＣ接続で中継ノードに送信したものであり、
２）末端ノードがｇＮＢにより放送されたオンデマンドシステム情報を取得し、中継ノードがｇＮＢにより放送されたオンデマンドシステム情報をＲＲＣ専用シグナリングの方式で、中継ノードの透過的な伝送を介して、末端ノードに伝送する。
【００６８】
また、接続状態にある末端ノードについて、中継ノードを介してｇＮＢからの更新後のシステム情報を取得してもよい。
【００６９】
具体的に、 
１）末端ノードがｇＮＢとのＲＲＣ接続でｇＮＢからのシステム情報を取得し、中継ノードがシステム情報を透過的に伝送し、
２）末端ノードが、中継ノードが末端ノードとの接続で送信したシステム情報を取得し、システム情報は、ｇＮＢが中継ノードとのＲＲＣ接続で中継ノードに送信したものであり、
３）末端ノードは、中継ノードの中継を介してｇＮＢからのページングメッセージを取得し、中継ノードの中継を介して、ｇＮＢにより放送されたシステム情報を取得し、ページングメッセージに基づいてシステム情報から対応するシステム情報ブロックを読み取る。
【００７０】
方式３）について、ｐａｇｉｎｇメカニズムを向上させる必要があり、ｇＮＢのページングメッセージを末端ノードに中継し、末端ノードにシステム情報を中継し、この方式は、末端ノードのページング機会( ｐａｇｉｎｇ ｏｃｃａｓｉｏｎ )及び非連続受信サイクル( ＤＲＸ ｃｙｃｌｅ )の構成が、中継及びその結果生じる遅延によって影響を受けないことを要求する。
【００７１】
上記の説明に基づき、図４は、本発明の末端ノード、中継ノード、及びｇＮＢの間のインタラクションの概略図である。
【００７２】
図４に示すように、中継ノードが２つの末端ノードをサービスし、２つの末端ノードがアイドル状態であるとする。
【００７３】
中継ノードがｇＮＢにより放送されたＭＳＩを受信し、透過的な伝送を行い、末端ノードとの接続でＭＳＩを末端ノードに伝送する。
【００７４】
末端ノードは、自分にオンデマンドシステム情報要件があるかどうかを確定し、ある場合、オンデマンドシステム情報要件を中継ノードに送信する。
【００７５】
中継ノードは、取得した各末端ノードのオンデマンドシステム情報要件を集約し、集約結果に基づきｇＮＢにオンデマンドシステム情報要求を送信する。
【００７６】
ｇＮＢは、要求するオンデマンドシステム情報を中継ノードを介して末端ノードに送信する。
【００７７】
以上の各実施例では、各実施例の説明を中心に説明したが、各実施形態において詳述しない部分は、他の実施形態における説明を参照する。
【００７８】
以上のように、上記の方法の実施例前記によって、中継ノードが基地局により放送されたＭＳＩを取得し、ＭＳＩをサービングされる末端ノードに転送し、末端ノードのオンデマンドシステム情報要件を取得し、基地局に末端ノードが必要とするオンデマンドシステム情報を要求し、さらに、基地局からのオンデマンドシステム情報を対応する末端ノードに送信し、また、中継ノードは、基地局からの更新後のシステム情報を末端ノードに送信することで、中継シーンにおいてシステム情報の送信の課題を解決することができる。 
以上が方法の実施例に関する説明であるが、以下、装置の実施例を通じて本発明の記載についてさらに説明する。
【００７９】
図５は本発明の中継ノード第１の実施例の構成の模式図である。図５に示すように、第１の転送ユニット５０１、要求ユニット５０２及び第２の転送ユニット５０３を含む。
【００８０】
第１の転送ユニット５０１は、基地局により放送されたＭＳＩを取得し、ＭＳＩをサービングされる末端ノードに転送するように構成される。
【００８１】
要求ユニット５０２は、末端ノードのオンデマンドシステム情報要件を取得し、基地局にオンデマンドシステム情報を要求するように構成される。
【００８２】
第２の転送ユニット５０３は、基地局からのオンデマンドシステム情報を対応する末端ノードに送信するように構成される。
【００８３】
ここで、要求ユニット５０２は、非接続状態にある末端ノードのオンデマンドシステム情報要件を取得することができる。
【００８４】
また、要求ユニット５０２は、ランダムアクセス方式で基地局にオンデマンドシステム情報を要求し、又は、ＲＲＣ専用シグナリング方式で基地局にオンデマンドシステム情報を要求する。
【００８５】
第２の転送ユニット５０３は、基地局が中継ノードとのＲＲＣ接続で送信したオンデマンドシステム情報を取得し、中継ノードと末端ノードとの接続でオンデマンドシステム情報を対応する末端ノードに送信する。
【００８６】
又は、第２の転送ユニット５０３は、基地局により放送されたオンデマンドシステム情報をＲＲＣ専用シグナリングの方式で、中継ノードの透過的な伝送を介して、対応する末端ノードに伝送する。
【００８７】
図６は本発明の中継ノード第２の実施例の構成の模式図である。図６に示すように、第３の転送ユニット６０１を備える。
【００８８】
第３の転送ユニット６０１は、基地局から取得された更新後のシステム情報を接続状態にある末端ノードに送信するように構成される。
【００８９】
具体的に、第３の転送ユニット６０１は、基地局が末端ノードとのＲＲＣ接続で末端ノードに送信したシステム情報を、末端ノードに透過的に伝送する。
【００９０】
又は、第３の転送ユニット６０１は、基地局が中ノードとのＲＲＣ接続で送信したシステム情報を取得し、中継ノードと末端ノードとの接続でシステム情報を末端ノードに送信する。
【００９１】
又は、第３の転送ユニット６０１は、基地局からのページングメッセージを末端ノードに中継し、基地局により放送されたシステム情報を末端ノードに中継し、これより、末端ノードがページングメッセージに基づいてシステム情報から対応するシステム情報ブロックを読み取る。
【００９２】
実際の応用では、図５及び図６に示す構成要素は、中継ノードに同時に含まれる。
【００９３】
図７は本発明の基地局第１の実施例の構成の模式図である。図７に示すように、第１の処理ユニット７０１及び第２の処理ユニット７０２を含む。
【００９４】
第１の処理ユニット７０１は、ＭＳＩを中継ノードに放送して、中継ノードがＭＳＩをサービングされる末端ノードに転送する。
【００９５】
第２の処理ユニット７０２は、中継ノードからのオンデマンドシステム情報要求を取得し、オンデマンドシステム情報を中継ノードを介して対応する末端ノードに送信し、オンデマンドシステム情報要求には、中継ノードが末端ノードから取得したオンデマンドシステム情報要件が含まれる。
【００９６】
具体的に、第２の処理ユニット７０２は、中継ノードがランダムアクセス方式で送信したオンデマンドシステム情報要求を取得し、又は、中継ノードがＲＲＣ専用シグナリング方式で送信したオンデマンドシステム情報要求を取得する。
【００９７】
また、中継ノードが末端ノードとの接続でオンデマンドシステム情報を対応する末端ノードに送信するように、第２の処理ユニット７０２は、中継ノードとのＲＲＣ接続でオンデマンドシステム情報を中継ノードに送信する。
【００９８】
又は、中継ノードがＲＲＣ専用シグナリングの方式で、透過的な伝送を介して、オンデマンドシステム情報を対応する末端ノードに伝送するように、第２の処理ユニット７０２がオンデマンドシステム情報を放送する。
【００９９】
第２の処理ユニット７０２は、所定の基準に基づいてオンデマンドシステム情報の送信方式を決定する。
【０１００】
図８は本発明の基地局第２の実施例の構成の模式図である。図８に示すように、第３の処理ユニット８０１を備える。
【０１０１】
第３の処理ユニット８０１は、中継ノードを介して、更新後のシステム情報を接続状態にある末端ノードに送信するように構成される。
【０１０２】
具体的に、第３の処理ユニット８０１は、末端ノードとのＲＲＣ接続でシステム情報を末端ノードに送信し、中継ノードがシステム情報を透過的に伝送する。
【０１０３】
又は、中継ノードが末端ノードとの接続でシステム情報を末端ノードに送信するように、第３の処理ユニット８０１は、中継ノードとのＲＲＣ接続でシステム情報を中継ノードに送信する。
【０１０４】
又は、末端ノードがページングメッセージに基づいてシステム情報から対応するシステム情報ブロックを読み取るように、第３の処理ユニット８０１はページングメッセージを中継ノードを介して末端ノードに中継し、放送されたシステム情報を中継ノードを介して末端ノードに中継する。
【０１０５】
実際に、図７及び図８に示した構成要素は、基地局に含まれていてもよい。
【０１０６】
図９は本発明の末端ノード第１の実施例の構成の模式図である。図９に示すように、第１の取得ユニット９０１、送信ユニット９０２及び第２の取得ユニット９０３を含む。
【０１０７】
第１の取得ユニット９０１は、中継ノードを介して基地局により放送されたＭＳＩを取得するように構成される。
【０１０８】
中継ノードが基地局にオンデマンドシステム情報を要求するように、送信ユニット９０２は、オンデマンドシステム情報要件を中継ノードに送信する。
【０１０９】
第２の取得ユニット９０３は、中継ノードを介して基地局からのオンデマンドシステム情報を取得するように構成される。
【０１１０】
ここで、末端ノードが非接続状態にあり且つオンデマンドシステム情報要件がある場合、送信ユニット９０２は、オンデマンドシステム情報要件を中継ノードに送信する。
【０１１１】
第２の取得ユニット９０３は、中継ノードが末端ノードとの接続で送信したオンデマンドシステム情報を受信し、オンデマンドシステム情報は、基地局が中継ノードとのＲＲＣ接続で中継ノードに送信したものである。
【０１１２】
又は、第２の取得ユニット９０３は、基地局により放送されたオンデマンドシステム情報を取得し、中継ノードは、基地局により放送されたオンデマンドシステム情報をＲＲＣ専用シグナリングの方式で、中継ノードの透過的な伝送を介して、末端ノードに伝送する。
【０１１３】
図１０は本発明の末端ノード第２の実施例の構成の模式図である。図１０に示すように、第３の取得ユニット１００１を備える。
【０１１４】
第３の取得ユニット１００１は、末端ノードが接続状態にある場合、中継ノードを介して、基地局からの更新後のシステム情報を取得する。
【０１１５】
具体的に、第３の取得ユニット１００１は、基地局とのＲＲＣ接続で、基地局からのシステム情報を取得し、中継ノードがシステム情報を透過的に伝送する。
【０１１６】
又は、第３の取得ユニット１００１は、中継ノードが末端ノードとの接続で送信したシステム情報を取得し、システム情報は、基地局が中継ノードとのＲＲＣ接続で中継ノードに送信したものである。
【０１１７】
又は、第３の取得ユニット１００１は、中継ノードの中継を介して、基地局からのページングメッセージを取得し、中継ノードの中継を介して、基地局により放送されたシステム情報を取得し、ページングメッセージに基づいてシステム情報から対応するシステム情報ブロックを読み取る。
【０１１８】
実際の応用では、図９及び図１０に示す構成要素は、末端ノードに同時に含まれてもよい。
【０１１９】
上述の各装置の実施例の具体的な動作フローは、前述の方法の実施例における対応する説明を参照し、ここで説明を省略する。
【０１２０】
上記の装置の実施例によって、中継ノードが基地局により放送されたＭＳＩを取得し、ＭＳＩをサービングされる末端ノードに転送し、末端ノードのオンデマンドシステム情報要件を取得し、基地局に末端ノードが必要とするオンデマンドシステム情報を要求し、さらに、基地局からのオンデマンドシステム情報を対応する末端ノードに送信し、また、中継ノードは、基地局からの更新後のシステム情報を末端ノードに送信することで、中継シーンにおいてシステム情報の送信の課題を解決することができる。
【０１２１】
図１１は、本発明の実施形態を実施するのに適した例示的なコンピュータシステム/サーバ１２のブロック図を示す。図１１に示されるコンピュータシステム/サーバ１２は、単なる一例であり、本発明の実施形態の機能及び使用範囲に何ら制限するものではない。
【０１２２】
図１１に示すように、コンピュータシステム/サーバ１２は、汎用の計算装置の形態で表現されている。コンピュータシステム/サーバ１２のコンポーネントは、１つ以上のプロセッサ(処理ユニット) １６、メモリ２８、及びメモリ２８やプロセッサ１６を含む異なるシステムコンポーネントを接続するバス１８を含むことができるが、これらに限定されない。
【０１２３】
バス１８は、いくつかの種類のバス構造のうちの１つまたは複数を示し、メモリバスまたはメモリコントローラ、周辺バス、グラフィックスアクセラレーションポート、プロセッサ、または複数のバス構造のうちの任意のバス構造を使用するローカルバスを含む。例えば、これらのアーキテクチャは、工業標準アーキテクチャ( ＩＳＡ )バス、マイクロチャネルアーキテクチャ( ＭＡＣ )バス、拡張ＩＳＡバス、ビデオ電子標準協会( ＶＥＳＡ )ローカルバス、及び周辺コンポーネントインターコネクト( ＰＣＩ )バスを含むが、これらに限定されない。
【０１２４】
コンピュータシステム/サーバ１２は、典型的には、様々なコンピュータシステム可読媒体を含む。これらの媒体は、揮発性および不揮発性媒体、取外し可能および取外し不能媒体を含み、コンピュータシステム/サーバ１２によってアクセス可能な任意の利用可能な媒体であり得る。
【０１２５】
メモリ２８は、揮発性メモリの形態のコンピュータシステム可読媒体、例えばランダムアクセスメモリ( ＲＡＭ ) ３０および/またはキャッシュメモリ３２を含んでもよい。コンピュータシステム/サーバ１２は、他の取り外し可能/取り外し不可能な揮発性/不揮発性コンピュータシステム記憶媒体をさらに含んでもよい。単に例として、記憶システム３４は、取り外し不可能な不揮発性磁気媒体(図１１には示されず、一般的に「ハードディスクドライブ」と呼ばれる)を読み書きするために使用され得る。図１１には示されていないが、取り外し可能な不揮発性磁気ディスク(例えば、「フロッピーディスク」)に読み書きするための磁気ディスクドライブ、及び取り外し可能な不揮発性光ディスク(例えば、ＣＤ−ＲＯＭ，ＤＶＤ−ＲＯＭ又は他の光学媒体)に読み書きするための光学ディスクドライブが提供されてもよい。この場合、各ドライブは、１または複数のデータメディアインタフェースを介してバス１８に接続されてもよい。メモリ２８は、本発明の実施形態の機能を実行するように構成された１組(例えば、少なくとも１つ)のプログラムモジュールを有する少なくとも１つのプログラム製品を含み得る。
【０１２６】
１セット(少なくとも１つ)のプログラムモジュール４２を有するプログラム/ユーティリティ４０は、例えば、メモリ２８に記憶されてもよく、このようなプログラムモジュール４２は、オペレーティングシステム、１つ以上のアプリケーション、他のプログラムモジュール、及びプログラムデータを含み、これらの例の各々又は何らかの組み合わせには、ネットワーク環境の実施が含まれてもよいが、これらに限定されない。プログラムモジュール４２は、一般的に、本発明の記載された実施形態の機能及び/又は方法を実行する。
【０１２７】
コンピュータシステム/サーバ１２は、また、キーボード、ポインティングデバイス、ディスプレイ２４などの１つまたは複数の外部デバイス１４と通信してもよく、ユーザがコンピュータシステム/サーバ１２と対話することを可能にする１つまたは複数のデバイスと通信してもよく、および/または、コンピュータシステム/サーバ１２が１つまたは複数の他のコンピューティングデバイスと通信することを可能にする任意のデバイス(たとえば、ネットワークカード、モデムなど)と通信してもよい。この通信は、入出力(Ｉ/Ｏ)インターフェース２２を介して行われ得る。また、コンピュータシステム/サーバ１２は、ネットワークアダプタ２０を介して、ローカルエリアネットワーク( ＬＡＮ )、ワイドエリアネットワーク( ＷＡＮ )、及び/又はインターネット等の公衆ネットワーク等の１つ以上のネットワークと通信することもできる。図１１に示すように、ネットワークアダプタ２０は、バス１８を介してコンピュータシステム/サーバ１２の他のモジュールと通信する。なお、図示しないが、他のハードウェア及び/又はソフトウェアモジュールが、コンピュータシステム/サーバ１２と共に使用されてもよく、マイクロコード、デバイスドライバ、冗長処理ユニット、外部ディスクアレイ、ＲＡＩＤシステム、テープドライブ、及びデータバックアップ記憶システムなどが挙げられるが、これらに限定されない。
【０１２８】
プロセッサ１６は、メモリ２８に記憶されたプログラムを実行することにより、図１、図２、または図３に示す実施形態の方法などの様々な機能アプリケーションおよびデータ処理を実行する。
【０１２９】
本発明は、同時に、図１、図２、または図３に示す実施形態の方法を実施するためにプロセッサによって実行されるコンピュータプログラムを記憶したコンピュータ可読記憶媒体を開示する。
【０１３０】
１つ以上のコンピュータ可読媒体の任意の組み合わせが使用され得る。コンピュータ可読媒体は、コンピュータ可読信号媒体又はコンピュータ可読記憶媒体であり得る。コンピュータ可読記憶媒体は、例えば、これらに限られるわけではないが、電気、磁気、光、電磁、赤外線、もしくは半導体のシステム、装置、もしくはデバイス、またはそれらの任意の組合せであり得る。コンピュータ可読記憶媒体のより具体的な例(非網羅的なリスト)は、１つ以上のワイヤを有する電気接続、ポータブルコンピュータディスケット、ハードディスク、ランダムアクセスメモリ( ＲＡＭ )、リードオンリーメモリ( ＲＯＭ )、消去可能プログラマブルリードオンリーメモリ( ＥＰＲＯＭまたはフラッシュメモリ)、光ファイバ、ポータブルコンパクトディスクリードオンリーメモリ( ＣＤ−ＲＯＭ )、光学記憶デバイス、磁気記憶デバイス、または上記の任意の適切な組み合わせを含む。本ファイルにおいて、コンピュータ可読記憶媒体は、命令実行システム、装置、又はデバイスによって又はそれらと関連して使用され得るプログラムを含み、又は記憶する任意の有形媒体であり得る。
【０１３１】
コンピュータ可読信号媒体は、ベースバンドにおいて、または、搬送波の一部として、コンピュータ可読プログラムコードを担持するデータ信号を含み得る。そのような伝播データ信号は、電磁信号、光信号、又は上記の任意の適切な組み合わせを含むがこれらに限定されない、様々な形態をとり得る。コンピュータ可読信号媒体はまた、命令実行システム、装置、またはデバイスによって使用するための、またはそれらとの組み合わせにおいて使用するためのプログラムを送信、伝播、または伝送し得る、コンピュータ可読記憶媒体以外の任意のコンピュータ可読媒体であってもよい。
【０１３２】
コンピュータ可読媒体に含まれるプログラムコードは、無線、電線、光ケーブル、ＲＦなど、又は上記の任意の適切な組み合わせを含むがこれらに限定されない、任意の適切な媒体を用いて伝送され得る。
【０１３３】
本発明の動作を実行するためのコンピュータプログラムコードは、Ｊａｖａ、Ｓｍａｌｌｔａｌｋ、Ｃ＋などのオブジェクト指向プログラミング言語、および「Ｃ」言語などの従来の手続き型プログラミング言語または同様のプログラミング言語を含む１つまたは複数のプログラミング言語、またはそれらの組み合わせで書かれてもよい。プログラムコードは、完全にユーザのコンピュータ上で、部分的にユーザのコンピュータ上で、スタンドアロンのソフトウェアパッケージとして、部分的にユーザのコンピュータ上で、部分的にリモートコンピュータ上で、または完全にリモートコンピュータもしくはサーバ上で、実行され得る。リモートコンピュータが関与する場合、リモートコンピュータは、ローカルエリアネットワーク( ＬＡＮ )またはワイドエリアネットワーク( ＷＡＮ )を含む任意の種類のネットワークを介してユーザのコンピュータに接続され得るか、または、(例えば、インターネットサービスプロバイダを用いてインターネットを介して)外部コンピュータに接続され得る。
【０１３４】
本発明によって提供されるいくつかの実施形態において、開示される装置および方法などは、他の方法によって実現されてもよいことが理解されるべきである。例えば、上記の装置の実施形態は、単に例示的なものであり、例えば、ユニットの分割は、１つの論理的機能の分割にすぎず、実際の実装では、別の分割があり得る。
【０１３５】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１３６】
また、本発明の各実施例における各機能部は、１つの処理部に集積されてもよく、各部は物理的に別個に存在してもよく、２つ以上の部が１つの部に集積されてもよい。上記の統合されたユニットは、ハードウェアの形態で実現されてもよく、ハードウェア及びソフトウェア機能ユニットの形態で実現されてもよい。
【０１３７】
また、上記ソフトウェア機能部として実現される上記一体型ユニットは、コンピュータ読み取り可能な記録媒体に格納されてもよい。上記ソフトウェア機能部は、本発明の方法の各ステップの一部をコンピュータ装置(パーソナルコンピュータ、サーバ、ネットワーク機器等)又はプロセッサに実行させるための命令を含む複数の命令を記憶媒体に格納したものである。また、前記記憶媒体としては、U字ディスク、リムーバブルハードディスク、ROM、RAM、磁気ディスク、光ディスク等のプログラムコードを記憶できる種々の媒体を用いることができる。
【０１３８】
以上の説明は、本発明の好ましい実施例に過ぎず、本発明を限定するものではなく、本発明の精神と範囲内で行われるあらゆる修正、均等な置換、改良などは、本発明の保護範囲に含まれるべきである。
【図１】
2021503737.tif 000003
【図２】
2021503737.tif 000004
【図３】
2021503737.tif 000005
【図４】
2021503737.tif 000006
【図５】
2021503737.tif 000007
【図６】
2021503737.tif 000008
【図７】
2021503737.tif 000009
【図８】
2021503737.tif 000010
【図９】
2021503737.tif 000011
【図１０】
2021503737.tif 000012
【図１１】
2021503737.tif 000013
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
中継ノードが基地局により放送された最小化システム情報ＭＳＩを取得し、サービングされる末端ノードに前記ＭＳＩを転送することと、
前記中継ノードが末端ノードのオンデマンドシステム情報要件を取得し、前記基地局に前記オンデマンドシステム情報を要求することと、
前記中継ノードが前記基地局により送信された前記オンデマンドシステム情報を対応する末端ノードに送信することと、を含む
ことを特徴とするシステム情報の送信方法。
【請求項２】
前記中継ノードが末端ノードのオンデマンドシステム情報要件を取得することは、
前記中継ノードが、非接続状態にある末端ノードのオンデマンドシステム情報要件を取得することを含む
ことを特徴とする請求項１に記載のシステム情報の送信方法。
【請求項３】
前記基地局に前記オンデマンドシステム情報を要求することは、
前記中継ノードがランダムアクセス方式で前記基地局に前記オンデマンドシステム情報を要求すること、
又は、前記中継ノードが無線リソース制御ＲＲＣ専用シグナリングで前記基地局に前記オンデマンドシステム情報を要求することを含む
ことを特徴とする請求項１に記載のシステム情報の送信方法。
【請求項４】
前記中継ノードが前記基地局により送信された前記オンデマンドシステム情報を対応する末端ノードに送信することは、
前記中継ノードが、前記基地局が前記中継ノードとの無線リソース制御ＲＲＣ接続で送信した前記オンデマンドシステム情報を取得し、前記中継ノードと末端ノードとの接続で前記オンデマンドシステム情報を対応する末端ノードに送信すること、
又は、前記中継ノードが前記基地局により放送された前記オンデマンドシステム情報をＲＲＣ専用シグナリングの方式で、中継ノードの透過的な伝送を介して、対応する末端ノードに伝送することを含む
ことを特徴とする請求項１に記載のシステム情報の送信方法。
【請求項５】
中継ノードが基地局から取得された、更新後のシステム情報を接続状態にある末端ノードを送信することを含む
ことを特徴とするシステム情報の送信方法。
【請求項６】
前記中継ノードが基地局から取得された、更新後のシステム情報を接続状態にある末端ノードを送信することは、
前記中継ノードが、前記基地局が前記末端ノードとの無線リソース制御ＲＲＣ接続で前記末端ノードに送信した前記システム情報を、前記末端ノードに透過的に伝送すること、
又は、前記中継ノードが、前記基地局が前記中継ノードとのＲＲＣ接続で送信した前記システム情報を取得し、前記中継ノードと前記末端ノードとの接続で前記システム情報を前記末端ノードに送信すること、
又は、前記末端ノードがページングメッセージに基づいて前記システム情報から対応するシステム情報ブロックを読み取るように、前記中継ノードが前記基地局により送信されたページングメッセージを前記末端ノードに中継し、前記基地局により放送された前記システム情報を前記末端ノードに中継することを含む
ことを特徴とする請求項５に記載のシステム情報の送信方法。
【請求項７】
中継ノードが最小化システム情報ＭＳＩをサービングされる末端ノードに転送するように、基地局がＭＳ中継ノードに放送することと、
前記基地局が前記中継ノードからのオンデマンドシステム情報要求を取得することと、
前記基地局が前記オンデマンドシステム情報を前記中継ノードを介して対応する末端ノードに送信することとを含み、
前記オンデマンドシステム情報要求には、前記中継ノードが末端ノードから取得したオンデマンドシステム情報要件が含まれる
ことを特徴とするシステム情報の送信方法。
【請求項８】
前記基地局が前記中継ノードからのオンデマンドシステム情報要求を取得することは、
前記基地局が、前記中継ノードがランダムアクセス方式で送信した前記オンデマンドシステム情報要求を取得すること、
又は、前記基地局が、前記中継ノードが無線リソース制御ＲＲＣ専用シグナリング方式で送信した前記オンデマンドシステム情報要求を取得することを含む
ことを特徴とする請求項７に記載のシステム情報の送信方法。
【請求項９】
前記基地局が前記オンデマンドシステム情報を前記中継ノードを介して対応する末端ノードに送信することは、
前記中継ノードが末端ノードとの接続で前記オンデマンドシステム情報を対応する末端ノードに送信するように、前記基地局が前記中継ノードとの無線リソース制御ＲＲＣ接続で前記オンデマンドシステム情報を前記中継ノードに送信すること、
又は、前記中継ノードがＲＲＣ専用シグナリングの方式で、透過的伝送を介して、前記オンデマンドシステム情報を対応する末端ノードに伝送するように、前記基地局が前記オンデマンドシステム情報を放送することを含む
ことを特徴とする請求項７に記載のシステム情報の送信方法。
【請求項１０】
前記基地局が所定の基準に従って前記オンデマンドシステム情報の送信方式を決定する
ことを特徴とする請求項９に記載のシステム情報の送信方法。
【請求項１１】
基地局が更新後のシステム情報を中継ノードを介して接続状態にある末端ノードに送信することを含む
ことを特徴とするシステム情報の送信方法。
【請求項１２】
前記基地局が中継ノードを介して、更新後のシステム情報を接続状態にある末端ノードに送信することは、
前記基地局が、前記末端ノードとの無線リソース制御ＲＲＣ接続で前記システム情報を前記末端ノードに送信し、前記中継ノードが前記システム情報を透過的に伝送すること、
又は、前記中継ノードが末端ノードとの接続で前記システム情報を前記末端ノードに送信するように、前記基地局が前記中継ノードとのＲＲＣ接続で前記システム情報を前記中継ノードに送信すること、
又は、前記末端ノードが前記ページングメッセージに基づいて前記システム情報から対応するシステム情報ブロックを読み取るように、前記基地局がページングメッセージを前記中継ノードを介して前記末端ノードに中継し、放送された前記システム情報を前記中継ノードを介して前記末端ノードに中継することを含む
ことを特徴とする請求項１１に記載のシステム情報の送信方法。
【請求項１３】
メモリと、プロセッサと、前記メモリに格納され前記プロセッサ上で動作するコンピュータプログラムを備える中継ノードであって、
前記プロセッサは、前記プログラムを実行するときに、請求項１〜６のいずれか一項に記載のシステム情報の送信方法を実現する
ことを特徴とする中継ノード。
【請求項１４】
メモリと、プロセッサと、前記メモリに格納され前記プロセッサ上で動作するコンピュータプログラムと、を備える基地局であって、
前記プロセッサは、前記プログラムを実行するときに、請求項７〜１２のいずれか一項に記載のシステム情報の送信方法を実現する
ことを特徴とする基地局。
【請求項１５】
メモリと、プロセッサと、前記メモリに格納され前記プロセッサ上で動作するコンピュータプログラムと、を備える末端ノードであって
前記プロセッサは、前記プログラムを実行するときに、
中継ノードを介して基地局により放送された最小化システム情報ＭＳＩを取得し、
前記中継ノードが前記基地局に前記オンデマンドシステム情報を要求するように、オンデマンドシステム情報要件を前記中継ノードに送信し、
前記中継ノードを介して前記基地局により送信された前記オンデマンドシステム情報を取得するように構成される
ことを特徴とする末端ノード。
【国際調査報告】
2021503737.tif 000014
2021503737.tif 000015
2021503737.tif 000016
2021503737.tif 000017